(57)【特許請求の範囲】
【請求項１】
魚釣りに用いる釣竿であって、
竿体と、
前記竿体が貫通する状態で竿元側から前記竿体外周上に脱着自在に配置されるリング部材と、
前記竿体が貫通する状態で前記リング部材の竿元側に連続して前記竿体外周面上に脱着自在に配置される筒状の竿元グリップと、
前記竿元グリップを前記竿体外周面の所定の位置に固定する固定手段と、
前記竿体の竿元側端部に脱着自在に固定される尻栓とを備え、
前記固定手段は前記尻栓である
ことを特徴とする釣竿。
【請求項２】
前記リング部材は軸方向長さが５〜１０ｍｍである、請求項１に記載の釣竿。
【発明の詳細な説明】
【０００１】
【発明の属する技術分野】
本発明は、魚釣りに用いる釣竿であって、リールシートから竿元端部までの長さを変更できる釣竿に関する。
【０００２】
【従来の技術】
従来の釣竿は、元竿と、元竿の穂先側に振出形式または並継形式で連結された複数の中竿と、中竿の穂先側に連結された穂先竿とを有している。この元竿は、竿元側端部に設けられたグリップと、グリップの穂先側に設けられリールを取り付け可能なリールシートを有している。この従来の釣竿では、リールシートにリールを取り付け、グリップを把持しつつリール操作を行いキャスティングやリトリーブ等を行う。
【０００３】
【発明が解決しようとする課題】
キャスティング後のリトリーブ時や釣糸の巻き上げ時において、穂先側の竿のぶれを押さえるために、元竿の竿元側端部を身体の一部（胸部や腹部）に当ててリール操作を行うことがある。このようにリール操作を行うことによって、リトリーブ時のリールを巻き上げる速度や釣竿を構える角度を安定させて、釣りを行うのである。
【０００４】
しかし、釣竿の中にはリールシートから元竿の竿元端部までの距離が短く、元竿の竿元側端部を身体の一部に当てながらリール操作を行うのは難しい場合がある。特にルアー釣り用のルアーロッドでは、キャスティング性や運搬性等を考慮してリールシートが元竿の竿元側近くに設けられているものが多い。このような釣竿においても、必要に応じて元竿の竿元側端部を身体の一部に当てながら釣りをしたい場合もある。
【０００５】
本発明の課題は、必要に応じて釣竿の竿元側端部を身体に当てリトリーブ等の操作を安定して行うことができ、また、簡単な操作で釣竿の竿元側端部を軸方向に延伸又は短縮することができる釣竿を提供することにある。
【００１０】
【課題を解決するための手段】
発明１に係る釣竿は、魚釣りに用いる釣竿であって、竿体と、竿体が貫通する状態で竿元側から前記竿体外周上に脱着自在に配置されるリング部材と、竿体が貫通する状態でリング部材の竿元側に連続して竿体外周面上に脱着自在に配置される筒状の竿元グリップと、竿元グリップを竿体外周面の所定の位置に固定する固定手段とを備える。
また、竿体の竿元側端部に脱着自在に固定される尻栓をさらに備える。そして、竿元グリップの固定手段は尻栓である。
このような釣竿では、リング部材の個数を変更することによって、釣竿の竿元側端部の軸方向の位置を調整する。例えば、釣竿の竿元側端部を竿元側へ延伸させる場合、竿体から竿元グリップを取り外し、リング部材を竿体が貫通する状態で竿元側から挿入し、竿体外周面上に任意の数のリング部材を配置する。その後、竿元グリップを竿元側から竿体に取り付け、固定手段によって竿元グリップを固定する。この結果、竿体上に配置したリング部材の軸方向の長さの分だけ竿元グリップが竿元側にずれて固定され、釣竿の竿元側端部は竿元側方向に延伸する。
一方、釣竿の竿元側端部を逆に短縮させる場合は、上記手順において、竿体外周上に配置するリング部材の数を減らして、竿体グリップを竿体に取り付ける。この結果、竿体上に配置したリング部材の数が減少した分だけ竿元グリップが穂先側にずれて固定され、釣竿の竿元側端部は穂先側方向に短縮する。
【００１１】
釣竿の竿元側端部を竿元側へ延伸させる場合、竿体から尻栓を取り外し、竿元グリップを取り外し、リング部材を竿体が貫通する状態で竿元側から挿入し、竿体外周面上に任意の数のリング部材を配置する。その後、竿元グリップを竿体が貫通するように竿体に取り付け、尻栓によって竿元グリップを固定する。この結果、竿体上に配置したリング部材の軸方向の長さの分だけ竿元グリップが竿元側にずれて固定され、釣竿の竿元側端部は竿元側方向に延伸する。
【００１２】
一方、釣竿の竿元側端部を逆に短縮させる場合は、竿体外周上に配置するリング部材の数を減らして、竿体グリップを竿体が貫通するように竿体に取り付け、尻栓によって竿元グリップを固定する。この結果、竿体上に配置したリング部材の数が減少した分だけ竿元グリップが穂先側にずれて固定され、釣竿の竿元側端部は穂先側方向に短縮する。
【００１３】
発明５に係る釣竿は、発明１〜４のいずれかの釣竿において、リング部材は軸方向長さが５〜１０ｍｍである。
例えば軸方向の長さが１０ｍｍのリング部材を５個備えた場合は、釣竿の竿元側端部を１０、２０、３０、４０又は５０のいずれかの長さだけ延伸できる。リング部材は、軸方向の長さが５〜１０ｍｍであり、１〜５個備えるのが実用的である。
【００１４】
【発明の実施の形態】
〔第１実施形態〕
以下、本発明の実施の形態について図面を参照しつつ説明する。
本発明の第１実施形態を採用した釣竿は、図１に示すように、元竿１と、元竿１の穂先側に連結される複数の竿体からなる竿体ユニット２とを有している。この元竿１及び竿体ユニット２はそれぞれ脱着自在に挿入固定されており、いわゆる並継形式で連結されている。
【００１５】
元竿１及び竿体ユニット２は、それぞれ炭素繊維やガラス繊維に合成樹脂を含侵させたプリプレグをマンドレルに巻回して焼成して得られた先細りの筒状部材である。また、元竿１及び竿体ユニット２には釣糸を挿通可能な釣糸ガイド３が所定の間隔を隔てて複数設けられている。元竿１は、竿元側端部に配置されたリアグリップ４と、リアグリップ４の穂先側に設けられリール（図示せず）を装着可能なリールシート５と、リールシート５の穂先側に配置された前グリップ６とを有している。
【００１６】
また、図２に詳しく示すように、元竿１のリアグリップ４の竿元側には、元竿１が貫通する状態で竿元側から元竿１外周上に脱着自在に配置されるリング部材１１と、元竿１が貫通する状態でリング部材１１の竿元側に連続して元竿１外周面上に脱着自在に配置される筒状の竿元グリップ１０とが設けられている。
リアグリップ４及び前グリップ６は、天然ゴム、スチレンゴムやブタジエンゴム等の合成ゴム、ＥＶＡ樹脂またはコルク等の木材からなる円筒形部材であって、元竿１の所定の位置にはめ込まれて接着剤等で固定されている。なお、リング部材１１がリアグリップ４より穂先側移動しないように、リアグリップ４の外径はリング部材１１の内径よりも大きく形成されている。
【００１７】
また、リールシート５は元竿１の所定の位置に合成樹脂または金属性部材を抽出成型したものであり、リール脚部を脱着自在に固定可能である。
リング部材１１は、天然ゴム、スチレンゴムやブタジエンゴム等の合成ゴム、ＥＶＡ樹脂、コルク等の木材、又は金属から形成されるリング状の部材である。また、軸方向の長さが５〜１０ｍｍに形成され、複数個配置される。図２及び図３に示すように、リング部材１１の内径は元竿１の外径と合致するように形成されている。
【００１８】
竿元グリップ１０は、天然ゴム、スチレンゴムやブタジエンゴム等の合成ゴムからなる、弾性を有する円筒形部材である。竿元グリップ１０の内径は元竿１の外径に合致するように形成され、その外径はリング部材１１の内径より大きく形成される。即ち、リアグリップ４及び竿元グリップ１０の外径はリング部材４の内径より大きく形成されるため、リング部材１１を、穂先側に配置されたリアグリップ４と竿元側に配置された竿元グリップ１０により軸方向に固定することができる。
【００１９】
このような釣竿では、リング部材の個数を変更することによって、釣竿の竿元側端部の軸方向の位置を調整する。
例えば、釣竿の竿元側端部を竿元側へ延伸させる場合、元竿１から竿元グリップ１０を取り外し、リング部材１１を元竿１が貫通する状態で竿元側から挿入し、元竿１の外周面上にリング部材１１をさらに加えて配置する。その後、竿元グリップ１０をリアグリップ４、リング部材１１に連続するように竿元側から元竿１に取り付け、固定する。このとき、竿元グリップ１０はその弾性力によって元竿１に固定される。また、リング部材１１を、その穂先側に配置されたリアグリップ４とその竿元側に配置された竿元グリップ１０とによって固定する。
【００２０】
この結果、元竿１外周上に追加して配置したリング部材１１の軸方向の長さの分だけ竿元グリップ１０が竿元側にずれて固定され、釣竿の竿元側端部を軸方向に延伸することができる。
一方、釣竿の竿元側端部を逆に短縮させる場合は、上記手順において、元竿１外周上に配置するリング部材１１の数を減らして、竿体グリップ１０を元竿１に取り付ける。この結果、元竿１外周上に配置したリング部材１１の数が減少した分だけ竿元グリップ１０が穂先側にずれて固定され、釣竿の竿元側端部を軸方向に短縮することができる。
【００２１】
竿元グリップ１０の竿元側端部を延伸できる範囲は、例えば、リング部材１１の軸方向の長さが１０ｍｍで、５個準備されている場合を考えると、リング部材１１を挿入しない場合の竿元グリップ１０の竿元側端部の位置に１０、２０、３０、４０又は５０ｍｍのいずれかの長さを加えることができる。
このような釣竿では、リング部材１１の個数を増減させ、釣竿の竿元側端部の軸方向の位置を調整し、身体の一部に竿元グリップ１０を当てて安定させた状態でリトリーブ等の操作を行う。
【００２２】
また、身体の一部に接触する竿元グリップ１０が弾性を有するので、強く押し当てても痛くなく釣り操作もスムーズになる。
〔第２実施形態〕
以下、本発明の第２実施形態について図面を参照しつつ説明する。
本発明の第２実施形態を採用した釣竿は、図４に示すように、元竿１と、リング部材１１と、竿元グリップ２０とを有する。
【００２３】
元竿１のリアグリップ４より竿元側の外周面には雄ネジ部１ａが形成される。竿元グリップ２０の内周面には、金属等で形成された雌ねじ部２０ｂが形成されており、穂先側から竿元側に向かって連続している。この雌ねじ部２０ｂは、元竿１の雄ねじ部１ａに螺合するように形成されている。
なお、その他の説明については、第１実施形態と同様であるので省略する。
【００２４】
第１実施形態と同様に、リング部材の個数を変更することによって、釣竿の竿元側端部の軸方向の位置を調整する。
例えば、釣竿の竿元側端部を竿元側へ延伸させる場合、元竿１の雄ネジ部１ａから竿元グリップ２０の雌ねじ部２０ｂの螺合を解除し、元竿１から竿元グリップ２０を取り外す。次に、リング部材１１を元竿１が貫通する状態で竿元側から元竿１に挿入し、元竿１の外周面上にリング部材１１をさらに加えて配置する。その後、竿元グリップ２０の雌ねじ部２０ｂを元竿１の雄ネジ部１ａに螺合させ、竿元グリップ２０をリアグリップ４及びリング部材１１に連続するように竿元側から元竿１に取り付け、固定する。このとき、リング部材１１は、その穂先側に配置されたリアグリップ４とその竿元側に配置された竿元グリップ２０とによって固定される。
【００２５】
この結果、元竿１外周上に追加して配置したリング部材１１の軸方向の長さの分だけ竿元グリップ２０が竿元側にずれて固定され、釣竿の竿元側端部を軸方向に延伸することができる。
一方、釣竿の竿元側端部を逆に短縮させる場合は、上記の手順において、元竿１外周上に配置するリング部材１１の数を減らして、竿体グリップ２０を元竿１に取り付ける。この結果、元竿１外周上に配置したリング部材１１の数が減少した分だけ竿元グリップ２０が穂先側にずれて固定され、釣竿の竿元側端部を軸方向に短縮することができる。
【００２６】
このような釣竿では、第１実施形態と同様の作用効果を奏する。また、竿元グリップ２０を元竿１に螺旋止めするため、激しい釣り操作を行っても竿元グリップ２０がずれる危険がない。
〔第３実施形態〕
以下、本発明の第３実施形態について図面を参照しつつ説明する。
【００２７】
本発明の第３実施形態を採用した釣竿は、図５に示すように、元竿１と、リング部材１１と、竿元グリップ３０と、尻栓３１とを備える。
元竿１の竿元側外径は、竿元グリップ３０の内径と合致するように形成され、竿元側内周面には雌ネジ１ｂが形成されている。竿元グリップ３０は、穂先側から竿元側に貫通する貫通孔を有し、元竿１が貫通するように元竿１に配置される。尻栓３１は、尻栓本体３１ａと取付部３１ｂとを有する。尻栓本体３１ａは、天然ゴム、スチレンゴムやブタジエンゴム等の合成ゴム、ＥＶＡ樹脂またはコルク等の木材から形成される。また、取付部３１ｂは金属等で形成され、そのフランジ部で尻栓本体３１ａに固定され、元竿１の雌ネジ部１ｂに螺合するような雄ネジ部３１ｃを有する。フランジ部の径は竿元グリップ３０の径より大きく形成さるため、竿元グリップ３０は竿元側ではこのフランジ部によって固定される。
【００２８】
なお、その他の説明については、第１実施形態と同様であるので省略する。
第１実施形態と同様に、リング部材の個数を変更することによって、釣竿の竿元側端部の軸方向の位置を調整する。
例えば、釣竿の竿元側端部を竿元側へ延伸させる場合、元竿１の雌ネジ部１ｂから尻栓３１の雄ネジ部３１ｃの螺合を解除し、元竿１から尻栓３１を取り外す。このとき、竿元グリップ３０は軸方向に移動できるようになる。次に、元竿１から竿元グリップ３０を取り外し、リング部材１１を元竿１が貫通する状態で竿元側から元竿１に挿入し、元竿１の外周面上にリング部材１１をさらに加えて配置する。その後、竿元グリップ３０を竿元側から元竿１に取り付け、尻栓３１の雄ネジ３１ｃを元竿１の雌ネジ１ｂに螺合させ、尻栓３１を元竿１に取り付け、固定する。このとき、リング部材１１及び竿元グリップ３０は、その穂先側に配置されたリアグリップ４とその竿元側に配置された尻栓３１とによって軸方向に固定される。
【００２９】
この結果、元竿１外周上に追加して配置したリング部材１１の軸方向の長さの分だけ竿元グリップ２０が竿元側にずれて固定され、釣竿の竿元側端部を軸方向に延伸することができる。
一方、釣竿の竿元側端部を逆に短縮させる場合は、上記の手順において、元竿１外周上に配置するリング部材１１の数を減らして、竿体グリップ３０及び尻栓３１を元竿１に取り付ける。この結果、元竿１外周上に配置したリング部材１１の数が減少した分だけ竿元グリップ３０が穂先側にずれて固定され、釣竿の竿元側端部を軸方向に短縮することができる。
【００３０】
このような釣竿では、第１実施形態と同様の作用効果を奏する。また、尻栓３１を元竿１に螺旋止して固定しているので、激しい釣り操作を行っても竿元グリップ３０がずれる危険がない。
【００３１】
【発明の効果】
本発明によれば、必要に応じて釣竿の竿元側端部を身体に当てリトリーブ等の操作を安定して行うことができ、また、簡単な操作で釣竿の竿元側端部を軸方向に延伸又は短縮することができる。
【図面の簡単な説明】
【図１】本発明の第１の実施形態を採用した釣竿の全体図。
【図２】本発明の第１の実施形態を採用した釣竿の詳細図。
【図３】本発明の第１の実施形態を採用した釣竿の断面図。
【図４】本発明の第２の実施形態を採用した釣竿の断面図。
【図５】本発明の第３の実施形態を採用した釣竿の断面図。
【符号の説明】
１    元竿
１ａ、３１ｃ    雄ねじ部
１ｂ、２０ｂ    雌ねじ部
２    竿体ユニット
３    釣糸ガイド
４    リアグリップ
５    リールシート
６    前グリップ
１０、２０、３０    竿元グリップ
１１    リング部材
３１    尻栓
３１ａ  尻栓本体
３１ｂ  取付部
【図１】
0004255092.tif 000002
【図２】
0004255092.tif 000003
【図３】
0004255092.tif 000004
【図４】
0004255092.tif 000005
【図５】
0004255092.tif 000006